(57)【要約】生きた魚類の収容水槽あるいは容器、また、亀類および一般の飼育器あるいは同様なもの向けのタンクにも設置可能な水生動物相向けの給餌配給用装置であり、本装置には１台のタンクならびに出口に向かう餌の押出し手段が含まれて、該タンク（１１）は、ほぼ水平方向に配置されると同時に、分配出口（１３）に向かう餌の押出し方向と同一の方向にすべてが向く複数の傾斜羽根（１８）が設置されたタンクの内部空間を占有すると同時に、１本の軸棒（１７）から構成される押出し器兼混合器（１２）を収納するとともに、該分配出口（１３）は水平方向の餌排出のためにほぼ鉛直方向の開口を見せる。
2008516598.tif 000002
【特許請求の範囲】
【請求項１】
ほぼ水平方向に位置するタンク（１１）によりタンクの内部空間が塞がれると同時に、水平方向の餌の放出用のほぼ鉛直方向の開口を見せる分配出口（１３）に向かって餌が押し出される方向と同一方向にすべてが向く複数の傾斜羽根（１８）が設置された１本の軸棒（１７）から構成される押出し器兼混合器（１２）が収納されることを特徴とする、生きた魚類を収容する水槽あるいは容器かつ亀類ならびに一般の飼育器あるいは同様なもの向けのタンクにも取付け可能である、１台のタンクおよび前記分配出口に向かう押出し手段が含まれる水生動物相向けの給餌配給装置。
【請求項２】
分配域に向いている軸棒（１７）の端部に、該軸棒（１７）に直角に位置すると同時に軸棒（１７）の中心線によって定められる２つの半断面の片方を塞ぐ閉鎖プレート（１９）が設置され、該閉鎖プレート（１９）が静止位置にあるかあるいは使用されない位置にある場合に、混合器の中心線に関し下方に向いていることを特徴とする請求項１による給餌配給装置。
【請求項３】
軸棒（１７）のプレート（１９）が機能上、出口（１３）の開口と接続されるとともに、軸棒（１７）の回転によって決定されるその位置に応じて、餌の分配が可能になるかあるいは阻止されると同時に下部から生じる湿気の進入が阻止されることを特徴とする前掲の請求項のいずれかに記載の給餌配給装置。
【請求項４】
出口（１３）に切換え可能な穿孔された異なるサイズの穴を伴った２つの断面（２１，２２）を有する投与器（２０）分配装置が設置されることを特徴とする前掲の請求項のいずれかに記載の給餌配給装置。
【請求項５】
粒状製品の分配用に利用可能である穿孔された投与器（２０）が、分配される餌製品の粒の大きさに応じてどちらか片方を上にして挿入可能であることを特徴とする前掲の請求項のいずれかに記載の給餌配給装置。
【請求項６】
穿孔された分配器（２０）がどちらか一方を上にして出口（１３）の両側に位置する２ヶ所の誘導部（２３）間に挿入されて、空間が塞がれると同時に制御された餌の放出が可能となることを特徴とする前掲の請求項のいずれかに記載の給餌配給装置。
【請求項７】
穿孔された投与器（２０）の代案としてフレーク製品の投与向けに滑動カバー（２４）が利用可能であることを特徴とする前掲の請求項のいずれかに記載の給餌配給装置。
【請求項８】
同じ誘導部（２３）で滑動する滑動カバー（２４）が水槽に分配される製品の量に応じて出口（１３）の開口が規制されるよう移動可能であることを特徴とする前掲の請求項のいずれかに記載の給餌配給装置。
【請求項９】
軸棒（１７）が外枠（１４）に収納される電動式原動機（２７）によって駆動され、該原動機により、プレート（１９）が取付けられる端部と対向する軸棒（１７）の端部で噛合する動力起動装置（２９）が作動して運動学上の駆動装置（２８）が回転することを特徴とする前掲の請求項のいずれかに記載の給餌配給装置。
【請求項１０】
軸棒（１７）との直接制御が維持されるように形成される動力起動装置（２９）により、作動装置（２８）によって実行される軸棒の回転による混合器兼分配装置（１２）そしてつまりはプレート（１９）の位置が制御可能になることを特徴とする前掲の請求項のいずれかに記載の給餌配給装置。
【請求項１１】
タンク（１１）が固定型であると同時に、相互に対向すると同時に円筒部結合域（１６）に関して鏡になる２つの外枠（１４，１５）間で原動機部品と一緒に収容されるよう形成されることを特徴とする前掲の請求項のいずれかに記載の給餌配給装置。
【請求項１２】
外枠（１４）が押出し器兼混合器（１２）を駆動させる駆動部品が収納されるよう設計される一方で、外枠（１５）はタンク（１１）および押出し器兼混合器（１２）を収納するとともに閉鎖手段が設置された出口（１３）とともにその前面端部で終わることを特徴とする前掲の請求項のいずれかに記載の給餌配給装置。
【発明の詳細な説明】
【技術分野】
【０００１】
本発明は魚類給餌装置に関するもので、生きた魚類を収容する水槽あるいは容器に設置可能である。
【０００２】
主として水槽用に設計される本分配装置は、従来から、亀類あるいは一般の飼育器向けのタンクのような陸上動物を含めて別の種類の動物用のタンクにも適用可能である。
【０００３】
本発明は魚類あるいはその他水生動物向けだけでなく、飼育器に適用する場合の陸上動物向けにも給餌の保証と最適化が可能な給餌装置あるいはフィーダーに言及するものである。
【０００４】
本発明により水槽、飼育器における適切な給餌のための解決策が提供され、水中での餌の配給がより効果的になる。本発明は水槽と飼育器の分野に特定した特にペット製品業界で適用可能である。
【背景技術】
【０００５】
魚類収容水槽には、通常、定期的かつ事前に設定された間隔で水中の製品配給が可能なフィーダーとしても知られる自動給餌装置が装備されることが分かっている。
【０００６】
これらの自動分配装置は主として餌が置かれる固定されたあるいは移動する容器からなると同時に、餌の水中への搬送手段が装備される。餌製品が配給されるため、分配装置には定期的な間隔で製品が徐々に押されて重力で下降可能となるスクリューフィーダー、あるいは、その他の搬送装置の利用により分配装置からの製品の放出が可能となる手段が一般的に設置される。
【０００７】
欧州特許EP0514291号および米国特許US6082299号には、餌供給域から始まって放出口の分配域で終わる防護装置の導管に収納されるウォームスクリューから構成される搬送手段が封入された防護装置が含まれる水生動物相向けの給餌装置が公開されている。
【０００８】
それ以外の場合には、容器は円筒形であるとともに水平に置かれるので、回転時に円筒部の上部開口が下方に回転して予め決められた量の製品が水中に分配されることになる。
【０００９】
この分野で最も一般的に利用されるこれらの解決策にはいくつかの欠点が呈されるが、そのうちの第１点は事前決定された正確な量の餌の分配が困難な点であるので、交互に量が多すぎたり少なすぎたりすることがある点である。これは、一方で、特に餌の流れを阻害する湿気が存在する状態における餌の搬送中に塊の形成が生じ得るウォームスクリューあるいはスクリューフィーダーの存在が原因である。同様に、円筒状分配装置の場合には、回転される餌によってもまた塊が形成されて不規則な分配が引き起こされる。さらに、スクリューフィーダーにより一般的に鉛直円筒タンクの下部に位置し直角に移動される事によって餌が分配される、すなわち、餌は上部から拾い上げられると同時にこれが放出口の方に水平に搬送される。
【００１０】
この点により餌の均一な配送にはマイナス効果があるという別の要因が示される。タンク内の様々に重なる層の堆積により、重さや重力の下方圧力を伴う密集条件が原因で塊の多い域が生み出されるからである。
【００１１】
餌の搬送にマイナスの効果がある別の要因は餌の塊のなお一層の形成につながる湿度であり、この湿気は、特に水槽の場合に分配装置あるいは餌のタンクですら浸透して、周知の通り、餌製品の適正な分配の主たる障害を呈する。
【００１２】
分配装置を浸透すると同時に餌に影響する湿気があり得るのは、装置には製品の出口に閉鎖部品が装備されておらず、餌が水面下からの湿気で飽和した空気と常時接触しているという事実のためである。
【００１３】
これにより出口を塞ぐかびおよび餌の塊の形成を含めたあらゆる考えられる結果が引き起こされ、時には分配装置の完璧な閉塞が引き起こされることさえある。
【発明の詳細な説明】
【００１４】
本発明により上述の欠点の除去あるいは少なくとも緩和が可能な水槽あるいは飼育器向けの給餌装置の提供が提案される。
【００１５】
本発明により、また、経済的に有利であるよう製造が容易である水槽用給餌装置の提供も提案される。この提案はその特徴が主特許請求項に記述された給餌装置によって達成される。
【００１６】
分配装置の従属特許請求項により本発明の有利な実施例が記述されている。
【００１７】
本解決策の主たる利点は、その構造の単純性から由来する点に加えて、まず第１に、特別な形状をしたスクリューフィーダーと出口に位置する閉鎖部品の存在により水槽および飼育器における給餌能力が大きい点に関係する
【００１８】
本発明によって提案されるもう一つの重要な利点は、分配装置の構造機構、すなわち、水平に配置されたほぼ円筒形状のタンク、ならびにこれに含まれて二重の機能を有するスクリューフィーダーに関係する。すなわち、これにより実用的にタンクの全内部容積が占められるので、製品の水槽への搬送が可能となると同時に、餌製品の連続混合が可能となる。本発明による水生動物相向けの本給餌装置は、従って、本質的に、多かれ少なかれ１台の水平軸を伴った円筒状タンクから構成されて、水平軸もまた有すると同時に、製品の供給方向と同一方向に傾斜のついた複数の羽根が装備された１本の軸棒によって形成される扇形型のスクリューフィーダーが含まれる。スクリューフィーダーの特別な形状ならびに水平円筒状容器手段の内部のその位置が、スクリューフィーダーが少なくとも餌を分配する都度、製品が混合されるため餌製品が最良の感覚的な刺激反応状態に維持されることが可能であり、凝縮された餌域あるいは塊の一切の形成が阻止されることを意味する。
【００１９】
本発明による分配装置には、また、装置の前面で底部ではないところで水平に開くとともに、混合器兼分配器の端部のプレートと協力して作動する出口も含まれる。
【００２０】
この混合器のプレートにより、分配装置が作動しない時に出口が閉鎖状態に保たれ、製品が分配される時にのみこれが開いて、水面下の湿気の進入が一切阻止される。
【００２１】
分配装置出口の水平開口のあることならびに分配装置の羽根によって出口の閉鎖が可能であることが、製品の保存と完全さに関するすべての然るべき利点とともに、餌製品が含まれる円筒内の湿気の進入が阻止される２つの要因である。
【００２２】
さらなる利点は、その特徴により、例えば、その均一性をベースにして、フレーク状、細粒状あるいは粗粒状であって良い製品の投与が可能な多目的分配装置に設置可能なことである。
【発明を実施するための最良の形態】
【００２３】
全体に１０で指し示される本発明による給餌装置は、餌を混合して鉛直方向出口１３の方に押しやる混合および搬送の部品１２が収納されて、餌の水平搬送を可能にする１台のタンク１１あるいは餌の収納体からほぼ構成される。
【００２４】
好ましい実施例によると、タンク１１の本体は透明あるいは不透明のプラスチック材料から製作されるとともに、図１で分かるようにほぼ水平方向に配置される。
【００２５】
タンク１１は固定式であるとともに、その形状により、これがお互いに対向すると同時に、円筒結合域１６に関して鏡のような２つの外枠１４および１５間に配置可能となる。
【００２６】
外枠１４は押出し器１２を作動させる部品が含まれるよう設計される一方、外枠１５はタンク１１および押出し器兼混合器１２を収納するとともに、その前面端部の閉鎖手段が設置される出口１３で終わる。
【００２７】
押出し器兼混合器１２は、すべてが出口１３に向かう餌の押出し方向と同じ方向でかつこれらの取付けられた軸棒の回転方向に傾斜する複数羽根１８が取付けられた軸棒１７から構成される。
【００２８】
図１から図１２に示された解決策によると、スクリューフィーダーの傾斜羽根はほぼ長方形の形状である一方、これらが取付けられる軸棒は正方形横断面を有する、が、しかし、その他の任意の形状の羽根および軸棒が本発明のアイデアの変更無しに利用可能である。
【００２９】
出口に向いている軸棒の端部には、軸棒１７に直角に配置されると同時に軸棒１７の中心線によって定められる２つの半断面の片側を塞ぐプレート１９もまた設置される。
【００３０】
特に、閉鎖部品を象徴するプレート１９は、これが静止しているかあるいは使用されない位置にある場合には、スクリューフィーダーの中心線に関して下方に向いている
【００３１】
プレート１９は、機能上、分配装置出口１３と接続されると同時に、軸棒１７の回転によって制御されるその位置に応じて、餌の放出が可能になったり、あるいは阻止される。
【００３２】
実は、図１で分かるように、プレート１９は出口１３と一直線に並ぶので、スクリューフィーダーが静止している場合に該プレートは軸棒の中心線下部に位置すると同時に、完全に出口１３を閉鎖して餌の出口および下部からの湿気の進入を阻止する一方、軸棒が回転している場合にはプレート１９は出口１３から遠ざかり餌の分配が可能となる。
【００３３】
出口１３には切換え可能な異なるサイズの穴が穿孔された２つの断面２１および２２がある投与器２０が取付け可能である。粒状製品の分配用に利用されるこの穿孔された投与器は投与されるべき餌製品の粒度の細粗に応じて切換え可能である。
【００３４】
穿孔された投与器２０は一方を上にして、他方は出口１３の両側に位置する２ヶ所の誘導部２３の間に挿入されて、空間が塞がれるとともに制御された餌の分配が可能となる。
【００３５】
穿孔された投与器２０の代案として滑動カバー２４がフレーク製品の分配用に利用可能である。
【００３６】
この目的で、同じ誘導部２３を滑動する該カバー２４は、水槽に分配される餌の量に応じて出口１３の開口が制御されるよう移動可能である。
【００３７】
出口１３の上部の外枠１５には、また、この場合に外枠上部部分の開口２６が閉鎖されると同時に製品を取付けタンク１１に挿入可能にするもう１つの滑動カバー２５も含まれると同時に、タンクの製品量のチェックが可能となる。
【００３８】
最後に、軸棒１７は外枠１４に収納される電動式原動機２７によって駆動される。該原動機によりプレート１９が取付けられる端部と向かい合う軸棒１７の端部に噛合された動力起動装置２９を作動させる運動学上の駆動装置２８が回転する。
【００３９】
動力起動装置２９は適当な形状で軸棒１７の各端部と結合される。
【００４０】
実は、軸棒１７との直接の制御力が維持されるような形状が取られる動力起動装置２９により、駆動装置２８によって実行される軸棒の回転に応じた混合器兼分配器１２つまりはプレート１９の位置制御が可能となる。
【００４１】
この点によりある餌の放出とその次の放出の間の出口１３の閉鎖の維持ならびに分配段階での開放が可能となる。
【００４２】
動力起動装置２９の形状はこのように要件に応じて急速結合型あるいはかみ合わせ結合あるいは蟻ばね嵌め込み結合形状を伴うもので制約される。
【００４３】
理解可能な通り、この装置により水槽の水生動物相向けの餌が最善の感覚的刺激反応条件で一定に維持されることが可能となる。
【００４４】
実は、押出し器兼混合器１２の羽根１８には、餌が新鮮で香り良く保たれるよう餌を出口１３に向かって押し出すと同時にこれをタンク１１内部で完全に混合する二重の目的がある一方で、プレート１９により、自動給餌装置の適正な作動において、周知の通り、常に問題が呈されてきた湿気の進入と湿気による塊の形成が阻止される。
【００４５】
このような常に香り良くかつ利用準備が整った餌の乾燥と混合の具合の維持の能力は、餌が鉛直方向よりもむしろ水平方向の放出が可能となる水平搬送により設置される分配出口型のものによってさらに保証され、水槽の水から生ずる湿気に対するさらに一層良好な保護がもたらされる。
【００４６】
さらに、加えて、主として水槽用に設計される本分配装置は、亀類あるいは一般の飼育器向けタンクのような陸上動物類を含めたその他の種類の動物向けタンクに取付けることも可能である。
【００４７】
本発明は好ましい一実施例に関して上記に説明されたものである。にもかかわらず、本発明は技術的に同等な枠組み内の範囲内にある多くの変型類が可能であることは明らかである。
【図面の簡単な説明】
【００４８】
本発明のその他の特徴ならびに利点は、添付図面を利用して拘束されない例として挙げられる本発明の一実施例に関する以降の説明を読めば明らかになろう。すなわち、
【図１】本発明による分配装置全体の概略分解図である。
【図２】概略平面図を示す。
【図３】混合器兼押出し器ならびにそのタンクへの結合手段の概略図である。
【図４】混合器兼押出し器ならびにそのタンクへの結合手段の概略図である。
【図５】混合器兼押出し器ならびにそのタンクへの結合手段の概略図である。
【図６】混合器兼押出し器ならびにそのタンクへの結合手段の概略図である。
【図７】混合器兼押出し器ならびにそのタンクへの結合手段の概略図である。
【図８】混合器兼押出し器ならびにそのタンクへの結合手段の概略図である。
【図９】混合器兼押出し器ならびにそのタンクへの結合手段の概略図である。
【図１０】混合器兼押出し器ならびにそのタンクへの結合手段の概略図である。
【図１１】混合器兼押出し器ならびにそのタンクへの結合手段の概略図である。
【図１２】混合器兼押出し器ならびにそのタンクへの結合手段の概略図である。
【図１３】混合器兼押出し器ならびにそのタンクへの結合手段の概略図である。
【図１４】分配出口と通じると共にフレーク製品の分配向けに部分的あるいは全体的に開放可能である前面閉鎖カバーの概略図を示す。
【図１５】分配出口と通じると共にフレーク製品の分配向けに部分的あるいは全体的に開放可能である前面閉鎖カバーの概略図を示す。
【図１６】分配出口と通じると共にフレーク製品の分配向けに部分的あるいは全体的に開放可能である前面閉鎖カバーの概略図を示す。
【図１７】分配出口と通じると共にフレーク製品の分配向けに部分的あるいは全体的に開放可能である前面閉鎖カバーの概略図を示す。
【図１８】分配出口と通じると共にフレーク製品の分配向けに部分的あるいは全体的に開放可能である前面閉鎖カバーの概略図を示す。
【図１９】分配出口と通じると共にフレーク製品の分配向けに部分的あるいは全体的に開放可能である前面閉鎖カバーの概略図を示す。
【図２０】分配出口と通じると共にフレーク製品の分配向けに部分的あるいは全体的に開放可能である前面閉鎖カバーの概略図を示す。
【図２１】分配出口と通じると共にフレーク製品の分配向けに部分的あるいは全体的に開放可能である前面閉鎖カバーの概略図を示す。
【図２２】分配出口と通じて位置するとともに粒状製品の場合に利用可能な穿孔された分配部品の概略図である。
【図２３】分配出口と通じて位置するとともに粒状製品の場合に利用可能な穿孔された分配部品の概略図である。
【図２４】分配出口と通じて位置するとともに粒状製品の場合に利用可能な穿孔された分配部品の概略図である。
【図２５】分配出口と通じて位置するとともに粒状製品の場合に利用可能な穿孔された分配部品の概略図である。
【図２６】分配出口と通じて位置するとともに粒状製品の場合に利用可能な穿孔された分配部品の概略図である。
【図２７】分配出口と通じて位置するとともに粒状製品の場合に利用可能な穿孔された分配部品の概略図である。
【図２８】分配出口と通じて位置するとともに粒状製品の場合に利用可能な穿孔された分配部品の概略図である。
【図２９】分配出口と通じて位置するとともに粒状製品の場合に利用可能な穿孔された分配部品の概略図である。
【図１】
2008516598.tif 000003
【図２】
2008516598.tif 000004
【図３】
2008516598.tif 000005
【図４】
2008516598.tif 000006
【図５】
2008516598.tif 000007
【図６】
2008516598.tif 000008
【図７】
2008516598.tif 000009
【図８】
2008516598.tif 000010
【図９】
2008516598.tif 000011
【図１０】
2008516598.tif 000012
【図１１】
2008516598.tif 000013
【図１２】
2008516598.tif 000014
【図１３】
2008516598.tif 000015
【図１４】
2008516598.tif 000016
【図１５】
2008516598.tif 000017
【図１６】
2008516598.tif 000018
【図１７】
2008516598.tif 000019
【図１８】
2008516598.tif 000020
【図１９】
2008516598.tif 000021
【図２０】
2008516598.tif 000022
【図２１】
2008516598.tif 000023
【図２２】
2008516598.tif 000024
【図２３】
2008516598.tif 000025
【図２４】
2008516598.tif 000026
【図２５】
2008516598.tif 000027
【図２６】
2008516598.tif 000028
【図２７】
2008516598.tif 000029
【図２８】
2008516598.tif 000030
【図２９】
2008516598.tif 000031
【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
ほぼ水平方向に位置するタンクによりタンクの内部空間が塞がれると同時に、水平方向の餌の放出用のほぼ鉛直方向の開口を見せる分配出口に向かって餌が押し出される方向と同一方向にすべてが向く複数の傾斜羽根が設置された１本の軸棒から構成される押出し器兼混合器が収納されることを特徴とする、生きた魚類を収容する水槽あるいは容器かつ亀類ならびに一般の飼育器あるいは同様なもの向けのタンクにも取付け可能である、１台のタンクおよび前記分配出口に向かう押出し手段が含まれる水生動物相向けの給餌配給装置。
【請求項２】
分配域に向いている前記軸棒の端部に、前記軸棒に直角に位置すると同時に前記軸棒の中心線によって定められる２つの半断面の片方を塞ぐ閉鎖プレートが設置され、前記閉鎖プレートが静止位置にあるかあるいは使用されない位置にある場合に、混合器の中心線に関し下方に向いていることを特徴とする請求項１に記載の給餌配給装置。
【請求項３】
前記軸棒の前記プレートが機能上、前記出口の開口と接続されるとともに、前記軸棒の回転によって決定されるその位置に応じて、餌の分配が可能になるかあるいは阻止されると同時に下部から生じる湿気の進入が阻止されることを特徴とする請求項２に記載の給餌配給装置。
【請求項４】
前記出口に切換え可能な穿孔された異なるサイズの穴を伴った２つの断面を有する投与器を備えることを特徴とする請求項１に記載の給餌配給装置。
【請求項５】
粒状製品の分配用に利用可能である穿孔された前記投与器が、分配される餌製品の粒の大きさに応じてどちらか片方を上にして挿入可能であることを特徴とする請求項４に記載の給餌配給装置。
【請求項６】
穿孔された前記分配器がどちらか一方を上にして前記出口の両側に位置する２ヶ所の誘導部間に挿入されて、空間が塞がれると同時に制御された餌の放出が可能となることを特徴とする請求項４に記載の給餌配給装置。
【請求項７】
フレーク製品の投与向けに滑動カバーをさらに備える請求項１に記載の給餌配給装置。
【請求項８】
一組の誘導部の間で滑動する前記滑動カバーが水槽に分配される製品の量に応じて前記出口の開口が規制されるよう移動可能であることを特徴とする請求項７に記載の給餌配給装置。
【請求項９】
前記軸棒が外枠に収納される電動式原動機によって駆動され、前記原動機により、前記プレートが取付けられる端部と対向する前記軸棒の端部で噛合する動力起動装置が作動して運動学上の駆動装置が回転することを特徴とする請求項１に記載の給餌配給装置。
【請求項１０】
前記軸棒との直接制御が維持されるように形成される前記動力起動装置により、前記駆動装置によって決定される軸棒の回転による前記混合器兼分配装置そしてつまりは前記プレートの位置が制御可能になることを特徴とする請求項９に記載の給餌配給装置。
【請求項１１】
前記タンクが固定型であると同時に、相互に対向すると同時に円筒部結合域に関して鏡になる２つの外枠間で原動機部品と一緒に収容されるよう形成されることを特徴とする請求項１に記載の給餌配給装置。
【請求項１２】
前記外枠の一つが前記押出し器兼混合器を駆動させる駆動部品が収納されるよう設計される一方で、前記外枠のもう一方は前記タンクおよび前記押出し器兼混合器を収納するとともに閉鎖手段が設置された前記出口とともにその前面端部で終わることを特徴とする請求項１１に記載の給餌配給装置。
【国際調査報告】
2008516598.tif 000032
2008516598.tif 000033